(57)【要約】【課題】電池を並列に接続して内部抵抗を小さくしながら、いずれかの電池が内部ショートなどの故障をしてもショート電流を小さくする。【解決手段】電源装置は、複数の電池１を並列に接続してなる並列ブロック３を直列に接続している組電池２を備える。組電池２は、並列ブロック３を、複数の電池１を並列接続してなる小ブロック３Ａに分割して、分割された小ブロック３Ａを直列に接続して直列ブロック４とし、この直列ブロック４を、小ブロック３Ａの中間接続点を非接続状態としながら、互いの出力側を並列に接続している。【選択図】図１
2008041369.tif 000002
【特許請求の範囲】
【請求項１】
複数の電池(1)を並列に接続してなる並列ブロック(3)、(33)を直列に接続している組電池(2)、(32)を備える電源装置であって、
組電池(2)、(32)が、前記並列ブロック(3)、(33)を複数の電池(1)を並列接続してなる小ブロック(3A)、(33A)に分割して、分割された小ブロック(3A)、(33A)を直列に接続して直列ブロック(4)、(34)とし、この直列ブロック(4)、(34)を小ブロック(3A)、(33A)の中間接続点を非接続状態としながら、互いに出力側を並列に接続してなることを特徴とする電源装置。
【請求項２】
並列ブロック(3)を２組の小ブロック(3A)に分割している請求項１に記載される電源装置。
【請求項３】
小ブロック(3A)、(33A)が、２ないし６個の電池(1)を並列に接続している請求項１に記載される電源装置。
【請求項４】
直列ブロック(4)、(34)が、５ないし５０個の小ブロック(3A)、(33A)を直列に接続してなる請求項１に記載される電源装置。
【請求項５】
電池(1)がリチウムイオン二次電池である請求項１に記載される電源装置。
【請求項６】
各々の直列ブロック(4)、(34)を構成している小ブロック(3A)、(33A)の電池電圧を検出する電圧検出回路と、この電圧検出回路が検出する小ブロック(3A)、(33A)の電圧で充放電電流をコントロールする制御回路とを備える請求項１に記載される電源装置。
【請求項７】
隣接する直列ブロック(4)、(34)の間に配線スペース(31)、(51)を設けており、この配線スペース(31)、(51)の両端に位置して直列ブロック(4)、(34)の出力リード(9)、(39)を配置すると共に、複数の直列ブロック(4)、(34)の出力リード(9)、(39)を連結してなる出力端子(13)、(43)を配線スペース(31)、(51)に配置している請求項１に記載される電源装置。
【発明の詳細な説明】
【技術分野】
【０００１】
本発明は、主として、自動車、オートバイ、自転車などの車両を走行させるモータを駆動するのに最適な電源装置に関し、とくに複数の電池を並列に接続して出力電流を大きくし、また電池を直列に接続して出力電圧を高くしてなる電源装置に関する。
【背景技術】
【０００２】
走行用のモータへの供給電力を大きくするために、多数の電池を直列に接続している電源装置は開発されている。（特許文献１参照）
【特許文献１】特開２０００−２２３０９６号公報
【０００３】
この電源装置は、直列に接続する電池の個数に比例して出力電圧を高くできる。出力電圧の高い電源装置は、モータの供給電力を大きくできるが、車両に搭載される状態で感電などの安全対策が複雑になる。出力電圧を低くして安全性を高くできるが、モータへの供給電力、すなわちモータの馬力が小さくなる。近年、電源装置の出力電圧を、ＤＣ／ＡＣインバータで昇圧してモータに供給するシステムが実用化されている。このシステムは、電源装置の出力電圧を低くしながら、モータの供給電圧を高くして出力を大きくできる。ただ、ＤＣ／ＡＣインバータで電圧を昇圧するのに比例して、電池の電流も大きくなるので、電源の内部抵抗を小さくすることが大切になる。内部抵抗による電圧降下が電流に比例して大きくなり、内部抵抗によって電源装置の出力電圧が低下して、モータに十分な電力を供給できなくなるからである。電源装置の内部抵抗は、電池を並列に接続して小さくできる。たとえば、２組の電池を並列に接続する電源装置は、複数の電池を並列に接続して並列ブロックとし、この並列ブロックを直列に接続して解消できる。複数の電池を並列と直列に接続している電源装置は、出力電圧を低くして安全性を向上でき、さらに内部抵抗を小さくできる特徴が実現される。ただ、この電源装置は、多数の電池を内蔵することから電池が故障する確率が高くなる。たとえば、いずれかの電池が内部ショート等の故障を起こすと、この電池と並列に接続している他の電池から極めて大きなショート電流が流れる弊害が発生する。
【発明の開示】
【発明が解決しようとする課題】
【０００４】
本発明は、さらにこの欠点を解決することを目的に開発されたものである。本発明の重要な目的は、電池を並列に接続して内部抵抗を小さくしながら、いずれかの電池が内部ショートなどの故障をしてもショート電流を小さくできる電源装置を提供することにある。
【課題を解決するための手段】
【０００５】
本発明の電源装置は、前述の目的を達成するために以下の構成を備える。
電源装置は、複数の電池１を並列に接続してなる並列ブロック３、３３を直列に接続している組電池２、３２を備える。組電池２、３２は、並列ブロック３、３３を、複数の電池１を並列接続してなる小ブロック３Ａ、３３Ａに分割して、分割された小ブロック３Ａ、３３Ａを直列に接続して直列ブロック４、３４とし、この直列ブロック４、３４を、小ブロック３Ａ、３３Ａの中間接続点を非接続状態としながら、互いの出力側を並列に接続している。
【０００６】
本発明の電源装置は、並列ブロック３を２組の小ブロック３Ａに分割することができる。さらに、本発明の電源装置は、小ブロック３Ａ、３３Ａが、２ないし６個の電池１を並列に接続することができる。さらに、本発明の電源装置は、直列ブロック４、３４が、５ないし５０個の小ブロック３Ａ、３３Ａを直列に接続することができる。さらに、本発明の電源装置は、電池１をリチウムイオン二次電池とすることができる。
【０００７】
さらに、本発明の電源装置は、各々の直列ブロック４、３４を構成している小ブロック３Ａ、３３Ａの電池電圧を検出する電圧検出回路と、この電圧検出回路が検出する小ブロック３Ａ、３３Ａの電圧で充放電電流をコントロールする制御回路とを備えることができる。
【０００８】
さらに、本発明の電源装置は、隣接する直列ブロック４、３４の間に配線スペース３１、５１を設けて、この配線スペース３１、５１の両端に位置して直列ブロック４、３４の出力リード９、３９を配置すると共に、複数の直列ブロック４、３４の出力リード９、３９を出力端子１３、４３に連結して、この出力端子９、３９を配線スペース３１、５１に配置することができる。
【発明の効果】
【０００９】
本発明の電源装置は、電池を並列に接続して内部抵抗を小さくしながら、いずれかの電池が内部ショートなどの故障をしてもショート電流を小さくして安全性を向上できる特徴がある。それは、本発明の電源装置が、複数の電池を並列に接続している並列ブロックを複数の電池を並列接続してなる小ブロックに分割して、分割された小ブロックを直列に接続して直列ブロックとし、この直列ブロックを小ブロックの中間接続点を非接続状態として、互いに出力側を並列に接続しているからである。
この構造の電源装置は、いずれかの電池が内部ショートするときに、ショート電流を小さくして安全性を向上できる。それは、並列ブロックを小ブロックに分割しているので、内部ショートした電池と並列に接続される電池の個数が少なくなるからである。
【００１０】
さらに、この構造の電源装置は、多数の電池を並列に接続している並列ブロックを複数の小ブロックに分割して、小ブロックを直列接続して直列ブロックとするので、各々の直列ブロックからバランスよく出力電流を取り出すことができる。この構造によらず、たとえば、多数の電池をリード板で並列に接続し、リード板の特定の部分から電流を出力すると、電流の取り出し点から離れたリード板に接続される電池からの出力電流が減少する弊害が発生する。それは、リード板に接続される各々の電池のリード板の電気抵抗が電流の取り出し点から離れるにしたがって大きくなって、リード板の電気抵抗が電池によってアンバランスになるからである。この構造に対し本発明の電源装置は、並列ブロックを複数の小ブロックに分割することから、リード板で並列に接続される電池の個数が少なく、各々の電池のリード板の電気抵抗が小さく、しかも電気抵抗のアンバランスが少なくなって、全ての電池から均一に電流を流すことができる。
【００１１】
さらにまた、本発明の電源装置は、全体の剛性をアップできる特徴もある。それは、並列ブロックを小ブロックに分割してこれを直列に接続して直列ブロックとする構造、すなわち、全ての電池を複数の直列ブロックに分割しているので、直列ブロックの重量を全体重量の数分の１に減少でき、軽くなった複数の直列ブロックを連結して電源装置として組み立てるからである。
【００１２】
また、本発明の電源装置は、全体の電池を複数の直列ブロックに分離することから、放熱時の発熱を複数に分散して、電池をより効果的に放熱できる特徴も実現する。それは、複数に分割することで、放熱面積を大きくできるからである。
【００１３】
さらに本発明の電源装置は、電池を複数の直列ブロックに分割することから、メンテナンスを能率よくできる特徴も実現する。それは、メンテナンスで交換するアッセンブリを、ひとつの直列ブロックとして小さく分割できるからである。
【発明を実施するための最良の形態】
【００１４】
以下、本発明の実施例を図面に基づいて説明する。ただし、以下に示す実施例は、本発明の技術思想を具体化するための電源装置を例示するものであって、本発明は電源装置を以下のものに特定しない。
【００１５】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１６】
図１のブロック図と、図２ないし図６の斜視図に示す電源装置は、複数の電池１を並列に接続している並列ブロック３を直列に接続している組電池２を備える。この電源装置の組電池２は、図１の回路図に示すように、並列ブロック３を複数の電池１を並列接続する小ブロック３Ａに分割している。分割された小ブロック３Ａが直列に接続されて直列ブロック４としている。さらに、直列ブロック４は、小ブロック３Ａの中間接続点を接続しない非接続状態として、互いに両端の出力側を並列に接続している。
【００１７】
図２に示す電源装置は、４個の電池１を並列に接続して小ブロック３Ａとし、さらに１０個の小ブロック３Ａを直列に接続して直列ブロック４としている。さらに、並列ブロック３を２組の小ブロック３Ａに分割しているので、組電池２は、２組の直列ブロック４を並列に接続している。ただし、本発明は、並列ブロックが並列に接続する電池の個数を４個に特定しない。並列ブロックは、２個ないし６個の電池を並列に接続することができる。また、直列ブロックが小ブロックを直列に接続する個数を１０個に特定せず、直列ブロックは、５個ないし５０個の小ブロックを直列に接続することができる。
【００１８】
図２ないし図６において、図２は互いに並列に接続される２組の直列ブロック４を示し、図３は２組の直列ブロック４をリヤーケース１５に収納する状態を示し、図４は直列ブロック４をリヤーケース１５とフロントケース１６に収納する状態を示し、さらに図５と図６は、直列ブロック４をリヤーケース１５とフロントケース１６とトップケース１７に収納する状態を示している。これ等の図に示す電源装置は、互いに出力側を並列に接続している２組の直列ブロック４と、２組の直列ブロック４を収納しているインナーケース２１とを備える。
【００１９】
２組の直列ブロック４は、図２ないし図４に示すように、リード板５を介して並列と直列に接続している複数の電池１と、複数の電池１にリード板５を介して接続している回路基板６と、この回路基板６を収納する基板ホルダ７とを備える。さらに、各々の電池１は、隣接する電池１を絶縁しながら定位置に配置する絶縁ホルダ８で定位置に配置されている。２組の直列ブロック４は、図２ないし図４に示すように、間に配線スペース３１を設ける状態で配置している。各直列ブロック４は、配線スペース３１の両端（図において上下）に位置して出力リード９を配置しており、各々の出力リード９を並列接続リード１０で連結して、出力側を並列に接続している。
【００２０】
図２と図３の直列ブロック４は、図において上下の端部に、プラス側の出力リード９と、マイナス側の出力リード９を設けている。プラス側とマイナス側の出力リード９は、４個の電池１の端面に連結しているリード板５である。各々の直列ブロック４に設けているプラス側の出力リード９は、並列接続リード１０で連結されて、プラス側の出力端子１３に接続している。マイナス側の出力リード９も並列接続リード１０を介して互いに連結されて、マイナス側の出力端子１３に接続している。各々の出力リード９を並列に接続する並列接続リード１０は、直列ブロック４の間において、すなわち配線スペース３１の両端部において出力端子１３に接続しており、並列接続リード１０を接続してなる出力端子１３を配線スペース３１に配設している。このように、各々の直列ブロック４の出力リード９を並列に接続する並列接続リード１０を、隣接する直列ブロック４の間で連結して出力端子１３に接続する構造は、並列接続リードを直列ブロックの外側で連結する構造に比べて、各々の並列接続リードの長さの差を少なくできる特長がある。それは、隣接する直列ブロック４の間で並列接続リード１０を連結することにより、各並列接続リード１０の長さを、直列ブロック４の幅よりも短くして、各並列接続リード１０の長さをバランスできるからである。この構造の電源装置は、各々の並列接続リード１０の長さの差を少なくして、これらの電気抵抗をバランスできるので、各々の直列ブロック４からバランスよく出力電流を取り出すことができる。また、電池１を充電するときにおいても、各々の直列ブロック４にバランスよく通電できる。このように、各々の直列ブロック４を、バランスよく充電し、また放電できる電源装置は、直列ブロック間での電池の劣化の度合いが不均一になるのを有効に防止して、組電池全体を長寿命にできる特長がある。プラス側とマイナス側の出力端子１３は、各々２本のリード線１４を接続して、リード線１４を介して出力コネクタ１２に接続している。２本のリード線１４は、小さい電気抵抗で出力リード９を出力コネクタ１２に接続する。
【００２１】
電池１は、充電できる二次電池で、リチウムイオン二次電池である。ただし、電池は、ニッケル水素電池やニッケルカドミウム電池とすることもできる。さらに、図のパック電池は、電池１を円筒型電池とするが、角型電池とすることもできる。図の直列ブロック４は、４本の電池１を直線状に並べて並列に接続して小ブロック３Ａとし、さらに、この小ブロック３Ａを１０段に並べてリード板５で直列に接続している。電池１は端面を同一面に位置させるように絶縁ホルダ８で定位置に保持している。絶縁ホルダ８は、各々の電池１を独立して挿入する保持筒を有し、ここに電池１を挿入して定位置に保持する。絶縁ホルダ８は、絶縁材のプラスチックを成形して製作される。
【００２２】
電池１は、端面にリード板５を溶着して、互いに直列と並列とに接続される。図の直列ブロック４は、各々のリード板５を回路基板６に接続している。リード板５は、回路基板６に接続する接続部５Ａを端部から突出するように設けている。リード板５は、接続部５Ａにリードピン１１やリード線等を半田付けして連結しており、これらを介して回路基板６に接続している。
【００２３】
２組の直列ブロック４は、図４に示すように、各々独立する回路基板６を備える。各々の回路基板６は、電池１の充放電をコントロールする保護回路を実装している。保護回路は、各々の小ブロック３Ａの電池電圧を検出して、充放電の電流を制御する。この保護回路は、図示しないが、各々の直列ブロック４を構成している小ブロック３Ａの電池電圧を検出する電圧検出回路と、この電圧検出回路が検出する小ブロック３Ａの電圧で充放電電流をコントロールする制御回路とを備える。保護回路は、いずれかの小ブロック３Ａの電池電圧が最低電圧よりも低くなると、放電電流を遮断するスイッチング素子（図示せず）をオフに切り換えて、放電電流を遮断する。また、いずれかの小ブロック３Ａの電池電圧が最高電圧よりも高くなると、充電を停止するスイッチング素子をオフに切り換えて、充電を停止する。放電電流を遮断するスイッチング素子と充電電流を遮断するスイッチング素子は、各々の直列ブロック４に直列に接続され、あるいは、直列ブロック４を並列に接続した出力側に接続される。また、直列ブロック４を並列に接続した出力側に接続されるスイッチング素子は、電源装置を搭載する車両などに設けることもできる。各々の小ブロック３Ａの電池電圧を独立して別々に検出して、検出した電圧で充放電をコントロールする保護回路を回路基板６に設けている電源装置は、全ての電池１を保護しながら安全に充放電できる。
【００２４】
さらに、保護回路は、充放電される電池の残容量を演算する演算回路も備える。図の電源装置は、各々の小ブロックの電池電圧を検出するので、演算回路は、各々の小ブロックの残容量を演算する。演算回路は、小ブロックの電池電圧と充電電流を積算して充電容量を演算すると共に、小ブロックの電池電圧と放電電流を積算して放電容量を演算し、演算された充電容量と放電容量とから小ブロックの残容量を演算する。さらに、演算回路は、各々の小ブロックの残容量を加算して直列ブロックの残容量を演算し、各直列ブロックの残容量から組電池全体の残容量を演算する。演算回路で演算された組電池の残容量は、残容量表示部１８に表示される。図に示す電源装置は、ケースの上部に表示基板１９を備え、この表示基板１９に複数のＬＥＤ２０を配列すると共に、残容量の表示状態を操作する容量表示スイッチ３０を配置して残容量表示部１８としている。回路基板６は、リード線（図示せず）を介して表示基板１９に接続している。残容量表示部１８は、容量表示スイッチ３０が操作されると、これらのＬＥＤ２０の点灯状態、例えば点灯数や点灯色を変化させて、あるいは点滅状態を変化させて組電池の残容量を表示する。複数のＬＥＤ２０の点灯状態や点滅状態は、演算回路で演算された組電池の残容量に応じて、制御回路で制御される。
【００２５】
基板ホルダ７は、回路基板６を収納して所定の位置に配置する。図４に示す基板ホルダ７は、底板（図示せず）の周囲に周壁を設けて上方開口の箱形としており、この周壁の内側に回路基板６を収納して、所定の位置に配置している。基板ホルダ７は、絶縁ホルダ８の定位置に連結して固定される。
【００２６】
基板ホルダ７は、底板から突出して支持部（図示せず）を設け、この支持部に回路基板６を止ネジで固定して、回路基板６を底板から離れた位置に固定する。この構造は、回路基板６の底板との対向面に、保護回路等を実現する電子部品（図示せず）を配置する。このように、基板ホルダ７の底板の対向面に電子部品を配置する構造は、回路基板６で電子部品を保護できる。
【００２７】
さらに、基板ホルダ７は、絶縁樹脂をポッティングして回路基板６を埋設して、ポッティング樹脂で回路基板６を保護でき、また回路基板６に実装している電子部品をポッティング樹脂に埋設して、電子部品を保護できる。
【００２８】
回路基板６は、通信用のリード線（図示せず）を介して出力コネクタ１２に接続している。この回路基板６は、電池１の情報を検出する検出回路と、この検出回路の信号を通信する通信回路とを備え、通信回路をリード線で出力コネクタ１２に接続している。この電源装置は、搭載される車両などの本体装置に電池１の情報を伝送する。本体装置は、電源装置から伝送される電池情報で、電池１を充放電する電流をコントロールする。
【００２９】
以上の電源装置は、図３ないし図８に示すように、２組の直列ブロック４からなる組電池２を、リヤーケース１５とフロントケース１６とトップケース１７とからなるインナーケース２１に収納すると共に、このインナーケース２１を外装ケース２２に収納する。インナーケース２１は、２組の直列ブロック４を、間に配線スペース３１ができるように、別々に収納する収納部を内部に有する。
【００３０】
図７に示すリヤーケース１５は、箱型形状の収納部１５Ａを２組備えており、各収納部１５Ａに直列ブロック４を収納する構造としている。さらに、図のリヤーケース１５は、隣接して配置される直列ブロック４の間に配線スペース３１を設けるために、各収納部１５Ａの間に中央連結部１５ｂを備えている。リヤーケース１５は、各収納部１５Ａに直列ブロック４を収納する状態で、フロントケース１６が連結される。リヤーケース１５とフロントケース１６は、対向する開口部の外周に設けた連結鍔部１５ａ、１６ａを互いに止ネジ２３で連結すると共に、中央部においても止ネジ２４で連結している。図のリヤーケース１５は、中央連結部１５ｂに止ネジ２４をねじ込んで、フロントケース１６の中央部に設けた中央連結部（図示せず）に連結している。さらに、フロントケース１６は、トップケース１７を連結するボス２５を周壁の内面と中央連結部に各々設けている。中央連結部に設けたボス２５は、配線スペース３１に配置している。これらのボス２５に、トップケース１７を貫通する止ネジ２６がねじ込まれて、フロントケース１６にトップケース１７が連結される。
【００３１】
以上のように、組電池２を２組の直列ブロック４に分割してインナーケース２１に収納する構造は、分割されて軽くなった直列ブロック４を各々の収納部に収納するので、インナーケース２１を強靱な構造として、全体の剛性をアップできる。また、組電池２を複数の直列ブロック４に分割してインナーケース２１に収納するので、多数の電池の発熱を分散させて、各電池をより効果的に放熱できる特長もある。とくに、隣接する直列ブロック４の間には、配線スペース３１を設けているので、この空間から効率よく放熱できる特長がある。このように、配線スペース３１から放熱する構造は、とくに熱がこもりやすい組電池２の中央部分である直列ブロック間の熱を有効に放熱できる特長がある。したがって、この電源装置は、組電池２を構成する多数の電池１について、組電池２の両側部分だけでなく、配線スペース３１を設けた中央部分からも効率よく放熱して、組電池２を構成する各電池１の中央部側と両端部側との温度差を少なくし、各電池における部分的な温度斑を低減して長寿命にできる特長もある。
【００３２】
外装ケース２２は、プラスチック製の第１のケース２２Ａと第２のケース２２Ｂを連結して、組電池２を収納してなるインナーケース２１を内部に収納している。第１のケース２２Ａと第２のケース２２Ｂは、周壁２７を一体的に成形して設けている。さらに、図の外装ケース２２は、内側に、ボス２８を突出して設けている。ボス２８は、周壁２７の内面の複数箇所と中央部に設けている。これらのボス２８に止ネジ２９を挿通し、この止ネジ２９で第１のケース２２Ａと第２のケース２２Ｂを連結する。第１のケース２２Ａと第２のケース２２Ｂは、互いの周壁２７の開口縁を隙間なく接触させて閉塞される。
【００３３】
図７の外装ケース２２は、中央部分に設けた中央ボス２８Ａをインナーケース２１に貫通させて連結する構造としている。リヤーケース１５は、中央連結部１５ｂに貫通孔１５ｃを開口しており、この貫通孔１５ｃに中央ボス２８Ａを挿通している。中央連結部を貫通する中央ボス２８Ａは、直列ユニット４の間に設けた配線スペース３１に挿通されて互いに連結される。このように、直列ユニット４の間に配線スペース３１を設ける構造は、この配線スペース３１を利用して、中央ボス２８Ａを外装ケースの中央部分に、理想的に配設できる特長がある。第１のケース２２Ａと第２のケース２２Ｂは、互いの中央ボス２８Ａを連結して、インナーケース２１を定位置に保持する状態で連結される。この外装ケース２２は、組電池２を収納するインナーケース２１を、直列ブロック４の中間を貫通するボス２８を介して互いに連結するので、外装ケース全体の剛性をアップできる特長がある。
【００３４】
さらに、外装ケース２２は、電池１の電力を出力するための出力コネクタ１２を外部に表出させる開口窓２２ａを底面に設けている。この電源装置は、第１のケース２２Ａと第２のケース２２Ｂの連結部に開口窓２２ａを設けており、第１のケース２２Ａと第２のケース２２Ｂの開口窓２２ａで出力コネクタ１２を挟着して、出力コネクタ１２を外装ケース２２の開口窓２２ａから表出させる。この電源装置は、出力コネクタ１２が電気機器（図示せず）の電源供給部に接続されて、定位置に連結される。出力コネクタ１２は、電源装置の電源端子（図示せず）を表出して設けている。電源端子はリード線１４を介して出力端子１３に連結している。さらに、この電源装置は、出力コネクタ１２が充電器（図示せず）の充電接続部にも接続される。充電器は、充電接続部に出力コネクタ１２を接続して、電源装置を定位置に連結して充電する。
【００３５】
さらに、第１のケース２２Ａは、その表面に、電源装置の容量表示スイッチ３０やＬＥＤ２０を外部に表出させる操作窓２２ｂと表示窓２２ｃを設けている。操作窓２２ｂは、表示基板１９に設けた容量表示スイッチ３０を外部に表出する。表示窓２２ｃは、ＬＥＤ２０の光を外部に表示する。
【００３６】
以上の電源装置は、並列ブロック３を２組に分割して、２組の直列ブロック４を出力側で並列に接続しているが、本発明の電源装置は、図９ないし図１１に示すように、並列ブロック３３を３組の小ブロック３３Ａに分割し、３組の直列ブロック３４を出力側で並列に接続することができ、また図示しないが並列ブロックを４組以上に分割し、分割された４組以上の直列ブロックを並列に接続することもできる。
【００３７】
図９ないし図１１に示すように、３組の直列ブロック３４を並列に接続して組電池３２とする電源装置は、２組の直列ブロックを並列に接続する電源装置と同様に、互いに隣接する直列ブロック３４の間に配線隙間５１ができる状態で、３組の直列ブロック３４を配置している。さらに、この電源装置は、各々の直列ブロック３４に設けているプラス側の出力リード３９と、マイナス側の出力リード３９を、並列接続リード４０で連結して、各々の直列ブロック３４を互いに並列に接続している。各々の出力リード３９を並列に接続する並列接続リード４０は、直列ブロック３４の間において、すなわち配線スペース５１の両端部において出力端子４３に接続しており、並列接続リード４０を接続してなる出力端子４３を配線スペース５１に配設している。さらに、プラス側とマイナス側の出力端子４３には、１〜複数本のリード線４４を接続して、リード線４４を介して出力コネクタ４２に接続される。なお、図９ないし図１１において、３６は回路基板を、４５はリヤーケースを、４６はフロントケースを、４８は残容量表示部をそれぞれ示している。
【００３８】
図２ないし図８の電源装置は、以下の工程で組み立てられる。
（１）電池１を絶縁ホルダ８に入れて定位置に保持し、電池１の両端にリード板５をスポット溶接やレーザ溶接などの方法で連結する。図の直列ブロック４は、リード板５を４本の電池１の端面と、８本の電池１の端面に連結している。８本の電池１に連結されリード板５は、４本の電池１を並列に接続している小ブロック３Ａを直列に接続する。４本の電池１に連結されるリード板５は、直列ブロック４の出力リード９となる。この工程で、１０直４並、すなわち４本の電池１を並列に、１０本の電池１を直列に接続してなる直列ブロック４が完成する。
（２）図２に示すように、各々の直列ブロック４の出力リード９を、並列接続リード１０で連結して、２組の直列ブロック４を連結する。
（３）図３に示すように、互いに連結された直列ブロック４をリヤーケース１５に収納する。
（４）図４に示すように、リヤーケース１５にフロントケース１６を連結すると共に、回路基板６を固定している基板ホルダ７を定位置に連結し、リードピン１１を介してリード板５の接続部５Ａを回路基板６に連結する。また、回路基板６と並列接続リード１０をリード線１４を介して出力コネクタ１２に連結する。
（５）トップケース１７を固定して、フロントケース１６の開口部を閉塞する。
【図面の簡単な説明】
【００３９】
【図１】本発明の一実施例にかかる電源装置の組電池のブロック図である。
【図２】本発明の一実施例にかかる電源装置の組電池を示す斜視図である。
【図３】図２に示す組電池をリヤーケースに収納する状態を示す斜視図である。
【図４】図２に示す組電池をリヤーケースとフロントケースに収納する状態を示す斜視図である。
【図５】図２に示す組電池をリヤーケースとフロントケースとトップケースに収納する状態を示す斜視図である。
【図６】図５に示す電源装置の背面斜視図である。
【図７】本発明の一実施例にかかる電源装置の分解斜視図である。
【図８】図７に示す電源装置を底面から見た分解斜視図である。
【図９】本発明の他の実施例にかかる電源装置の組電池のブロック図である。
【図１０】本発明の他の実施例にかかる電源装置の斜視図である。
【図１１】図１０に示す電源装置の組電池を示す斜視図である。
【符号の説明】
【００４０】
１…電池
２…組電池
３…並列ブロック          ３Ａ…小ブロック
４…直列ブロック
５…リード板              ５Ａ…接続部
６…回路基板
７…基板ホルダ
８…絶縁ホルダ
９…出力リード
１０…並列接続リード
１１…リードピン
１２…出力コネクタ
１３…出力端子
１４…リード線
１５…リヤーケース        １５Ａ…収納部
１５ａ…連結鍔部
１５ｂ…中央連結部
１５ｃ…貫通孔
１６…フロントケース      １６ａ…連結鍔部
１７…トップケース
１８…残容量表示部
１９…表示基板
２０…ＬＥＤ
２１…インナーケース
２２…外装ケース          ２２Ａ…第１のケース
２２Ｂ…第２のケース
２２ａ…開口窓
２２ｂ…操作窓
２２ｃ…表示窓
２３…止ネジ
２４…止ネジ
２５…ボス
２６…止ネジ
２７…周壁
２８…ボス                ２８Ａ…中央ボス
２９…止ネジ
３０…容量表示スイッチ
３１…配線スペース
３２…組電池
３３…並列ブロック        ３３Ａ…小ブロック
３４…直列ブロック
３６…回路基板
３９…出力リード
４０…並列接続リード
４２…出力コネクタ
４３…出力端子
４４…リード線
４５…リヤーケース
４６…フロントケース
４８…残容量表示部
５１…配線スペース
【図１】
2008041369.tif 000003
【図２】
2008041369.tif 000004
【図３】
2008041369.tif 000005
【図４】
2008041369.tif 000006
【図５】
2008041369.tif 000007
【図６】
2008041369.tif 000008
【図７】
2008041369.tif 000009
【図８】
2008041369.tif 000010
【図９】
2008041369.tif 000011
【図１０】
2008041369.tif 000012
【図１１】
2008041369.tif 000013